(57)【特許請求の範囲】
【請求項１】
前面部が後方へ傾斜し、且つ前面部の下縁部から後方へ底面部が延出したメッシュ構造のＬ型前面枠であって、その前面部と底面部を左右両端部で連結する斜材の前面側端部が、水平方向に隣接するＬ型前面枠の側部同士の連結部を兼ね、同じく前記斜材の底面側の端部が、該底面部と定着用ネットとの連結部を兼ねるように構成されたＬ型前面枠を多数個準備し、これらのＬ型前面枠を、それぞれの前面部が所定の傾斜面を形成するように鉛直方向及び水平方向に配列して設置すると共に、各段のＬ型前面枠の後方に各段ごとに盛土を堆積し、且つ、各段のＬ型前面枠の底面部にネットを連結して該ネットをその上の盛土で固定することにより、各段のＬ型前面枠を定着したことを特徴とする補強盛土構造。
【請求項２】
斜材は、その前面側端部が、Ｌ型前面枠の前面部上縁付近で、当該前面部の補強用縦材に、水平方向に隣接するＬ型前面枠の前面部補強用縦材とともに引っ掛け可能なＵ字状フックに形成され、その底面側端部が、該端部に直角に連結された連結板に取り付けてあるＵ字状連結具により、Ｌ型前面枠の底面部後縁近傍で、当該底面部の補強用横材に定着用ネットとともに連結可能に構成されている請求項１に記載の補強用盛土構造。
【発明の詳細な説明】
【０００１】
【発明の属する技術分野】
本発明は、傾斜壁面の構築に使用される盛土構造に関し、更に詳しくは、傾斜壁面をメッシュ構造の前面枠で補強する補強型の盛土構造に関する。
【０００２】
【従来の技術】
擁壁等を構築するための補強盛土構造の一つとして、傾斜壁面をメッシュ構造の前面枠で補強するするものがある。この補強盛土構造では、図５に示すように、平面状のメッシュパネルからなる複数枚の前面枠１，１・・が水平方向及び鉛直方向に傾斜して配列される。前面枠１，１・・の後方には、各段ごとに植生シート２を介して盛土３が堆積される。個々の前面枠１はストリップと呼ばれる複数の鋼製帯材４，４・で定着される。各帯材４は、その上に堆積された盛土３で固定されており、ダブルフックと呼ばれる二股の連結具５で前面枠１の下縁部に連結されると共に、２段目以上では下段の前面枠１の上縁部に連結されることにより、上下の前面枠１，１を相互に連結して定着する。
【０００３】
施工手順は以下の通りである。最下段において前面枠１，１・・を水平方向に配列し、所定の傾斜角度で仮固定する。各前面枠１の下縁部に複数の帯材４，４・・をダブルフック５，５・・で連結する。前面枠１，１・・の後方に植生シート２を介して盛土３を堆積する。これにより最下段が構築される。最下段の上に同様にして２段目を構築する。このとき、ダブルフック５，５・・を２段目の前面枠１の下縁部と最下段の前面枠１の上縁部に掛け止めする。これを繰り返すことにより、メッシュ構造の前面枠１，１・・で補強された所定高の傾斜壁面が構築される。
【０００４】
【発明が解決しようとする課題】
このようなメッシュ構造の傾斜型前面枠を使用する補強盛土構造は、傾斜面にかご枠を階段状に積み上げるものと比べ、段差のない自然な傾斜壁面を簡単に構築できる利点があり、経済性にも優れる。即ち、平面状のメッシュパネルからなる前面枠１，１・・はかご枠と比べて安価である上、嵩張らず運搬が容易である。従って、施工コストが安価となる。
【０００５】
しかし、これらの利点の一方では次のような欠点がある。前面枠１が自立しない構造であるため、各段の前面枠１，１・・を配列するときの安定性が悪く、その仮固定に手間がかかる。各段の前面枠１，１・・の後方に盛土３を堆積するとき、各前面枠１は下縁部しか帯材４，４・・と連結されていないため、盛土３の自重や転圧による圧力で前方へ倒れるおそれがある。この倒れを防止するためには、前面枠１，１・・の仮固定を強固に行う必要があり、その仮固定に一層手間がかかるようになる。
【０００６】
各段の帯材４，４・・は、その上方に堆積された盛土３で固定されるが、アンカー効果がないため、前方へ抜けやい。このため、施工後も前面枠１が前方へ倒れる危険性があり、定着性の面でも問題がある。
【０００７】
本発明の目的は、メッシュ構造で傾斜型の前面枠を使用することにより、段差のない自然な傾斜壁面を簡単かつ経済的に構築でき、しかも、前面枠の施工性及び定着性に優れる補強盛土構造を提供することにある。
【０００８】
【課題を解決するための手段】
上記目的を達成するために、本発明の補強盛土構造は、前面部が後方へ傾斜し、且つ前面部の下縁部から後方へ底面部が延出したメッシュ構造のＬ型前面枠であって、その前面部と底面部を左右両端部で連結する斜材の前面側端部が、水平方向に隣接するＬ型前面枠の側部同士の連結部を兼ね、同じく前記斜材の底面側の端部が、該底面部と定着用ネットとの連結部を兼ねるように構成されたＬ型前面枠を多数個準備し、これらのＬ型前面枠を、それぞれの前面部が所定の傾斜面を形成するように鉛直方向及び水平方向に配列して設置すると共に、各段のＬ型前面枠の後方に各段ごとに盛土を堆積し、且つ、各段のＬ型前面枠の底面部にネットを連結して該ネットをその上の盛土で固定することにより、各段のＬ型前面枠を定着したものである。
【０００９】
本発明の補強盛土構造では、メッシュ構造の前面枠が、傾斜した前面部の下縁部から後方へ底面部が延出したＬ形に形成されており、例えばその前面部が所定の平坦な傾斜面上に位置するよう、鉛直方向及び水平方向に配列されることにより、段差のない自然な傾斜壁面が構築される。
【００１０】
前面枠がＬ形に形成されているため、その自立が可能である。その前面枠の底面部上に盛土を堆積することにより、前面枠の安定性が一層向上する。従って、前面枠を仮固定するための作業が実質不要になり、その作業なしでも確実な設置が可能となる。
【００１１】
ネットは帯材に比べて抜け難く、前面枠の定着強度を一層向上させると共に、各段の盛土の層間に介在することにより、背後の盛土を効果的に補強する。
【００１２】
Ｌ型前面枠としては、溶接金網を含む金網又は有孔板を縦材及び横材により補強した構造が好ましい。効果的な補強や後述する斜材による枠連結・ネット連結のため、縦材はＬ型前面枠の少なくとも両側部に配置するのがよく、横材は少なくとも前面部の上縁近傍及び底面部の後縁近傍に配置するのがよい。
【００１３】
Ｌ型前面枠の前面部と底面部を斜材で連結することにより、前面部の前倒れが一層効果的に防止される。
【００１４】
ここにおける斜材としては、前面側の端部が、水平方向に隣接するＬ型前面枠の側部同士の連結部を兼ねる構造のものが好ましい。また、底面側の端部が、その底面部とネットとの連結部を兼ねる構造のものが好ましい。
【００１５】
【発明の実施の形態】
以下に本発明の好ましい実施形態を図面に基づいて説明する。図１は本発明の補強盛土構造で構築した擁壁の縦断側面図、図２は同擁壁の正面図、図３は同補強盛土構造に使用された前面枠の連結構造を示す平面図、図３は同補強盛土構造に使用された斜材の詳細構造を示す平面図（ａ）及び側面図（ｂ）である。
【００１６】
本実施形態の補強盛土構造は擁壁の構築に使用されている。この擁壁には、図１及び図２に示すように、傾斜面に沿って水平方向及び鉛直方向に配列された複数のＬ型前面枠１０，１０・・が使用されている。
【００１７】
個々のＬ型前面枠１０は、溶接金網１１を使用したメッシュ構造であり、その溶接金網１１を所定角度で折り曲げることにより、全体としてＬ形に形成されている。Ｌ型前面枠１０の前面部１０Ａは、所定角度（例えば３分の角度）で後方へ傾斜している。底面部１０Ｂは、前面部１０Ａの下縁部から後方へ水平に延出している。
【００１８】
所定角度で折り曲げられた溶接金網１１は、３本の縦材１２，１２，１２と２本の横材１３，１４とで補強されている。３本の縦材１２，１２，１２は、Ｌ型前面枠１０の前面部１０Ａ及び底面部１０Ｂに対応してＬ形に折り曲げられた丸棒からなり、Ｌ型前面枠１０の両側部及び中央部に前面部１０Ａから底面部１０Ｂにかけて配置され、溶接金網１１に溶接されている。
【００１９】
Ｌ型前面枠１０の両側部に位置する２本の縦材１２，１２には、図３に示すように、側方に配置されたＬ型前面枠１０との連結のために、突起１５及び連結板１６がそれぞれ取付けられている。縦材１２，１２の一方に設けられた突起１５は、Ｌ型前面枠１０の底面部１０Ｂに対応する縦材１２の水平部の前端付近に上向きに溶接されている。縦材１２，１２の他方に設けられた連結板１６は、突起１５が挿入される貫通孔を有し、縦材１２の水平部の前端付近に側方に突出して溶接されている。
【００２０】
一方の横材１３はアングル材からなり、前面部１０Ａの上縁部で溶接金網１１及び縦材１２，１２，１２に溶接されている。縦材１２，１２，１２の上端部は、横材１３の上方に突出している。各突出部１２ａは、上に重ねられたＬ型前面枠１０の底面部１０Ｂに差し込まれて、このＬ型前面枠１０を固定する。他方の横材１４は丸棒からなり、底面部１０Ｂの後縁近傍で溶接金網１１及び縦材１２，１２，１２に溶接されている。
【００２１】
本擁壁では、上述した複数のＬ型前面枠１０，１０・・が、それぞれの前面部１０Ａが所定の平坦な傾斜面を形成するように、横幅方向及び上下方向に配列されており、各段のＬ型前面枠１０，１０・・の後方には各段ごとに盛土４０が堆積されている。そして、各段のＬ型前面枠１０，１０・・は、横幅方向に隣接するもの同士が斜材２０によって連結されると共に、各段の盛土４０の下方に敷かれたネット３０によって定着されている。
【００２２】
ネット３０はジオテキスタイルと呼ばれる布製のネットであり、その前縁部をＬ型前面枠１０の底面部１０Ｂの後縁部上に重ね、上記斜材２０を利用することで前方のＬ型前面枠１０と連結されている。
【００２３】
斜材２０は、Ｌ型前面枠１０の３本の縦材１２，１２，１２に対応してその両側部及び中央部に配置され、基本的に、その３部分でＬ型前面枠１０の前面部１０Ａと底面部１０Ｂを連結することにより、Ｌ型前面枠１０を補強する。
【００２４】
この斜材２０は、図４に示すように、丸棒からなる本体部２１と、本体部２１の底面側の端部に直角に連結された連結板２２と、連結板２２に取付けられるＵ字状の連結具２３とを備えている。本体部２１の前面側の端部は、Ｕ字状に折り曲げられてフック２１ａを形成している。フック２１ａは、前面部１０Ａの上縁付近で縦材１２に引っ掛けられ、横幅方向に隣接するＬ型前面枠１０，１０の縦材１２，１２同士に、この引っ掛けを行うことにより、隣接するＬ型前面枠１０，１０を前面部１０Ａ，１０Ａで連結する。
【００２５】
Ｕ字状の連結具２３は、両端部が雄ネジ部とされた所謂Ｕボルトであり、底面部１０Ｂの後縁近傍に設けられた横材１４にこれを引っ掛け、ナット２４，２４で連結板２２に結合することにより、前面部１０Ａの上縁部と底面部１０Ｂの後縁部を連結する。また、Ｌ型前面枠１０の底面部１０Ｂの後縁部にネット３０の前縁部を重ねた状態で、横材１４に引っ掛け、連結板２２に結合することにより、ネット３０の前縁部を底面部１０Ｂの後縁部に連結する。更に、横幅方向に隣接するＬ型前面枠１０，１０の縦材１２，１２同士に、この引っ掛けを行うことにより、隣接するＬ型前面枠１０，１０を底面部１０Ｂ，１０Ｂで連結する。
【００２６】
なお、本体部２１のフック２１ａと連結板２２は、スムーズな引っ掛けのために、本体部２１の周方向に約９０°変位して設けられている。
【００２７】
次に、本実施形態の補強盛土構造を用いて擁壁を構築する際の作業手順について説明する。
【００２８】
まず、最下段（１段目）において所定数のＬ型前面枠１０，１０・・を横幅方向に並べて設置する。このとき、Ｌ型前面枠１０の突起１５を隣のＬ型前面枠１０の連結板１６に設けられた貫通孔に下方から差し込む。これにより、隣接するＬ型前面枠１０，１０が底面部１０Ｂ，１０Ｂの前部で連結される。
【００２９】
隣接するＬ型前面枠１０，１０を突起１５を中心に回転させることにより、水平方向で湾曲した曲面の形成も可能となる（図３参照）。
【００３０】
この設置作業では、各Ｌ型前面枠１０は自立し、その前面部１０Ａは所定角度に維持されるので、Ｌ型前面枠１０を仮固定する作業は実質不要となる。
【００３１】
所定数のＬ型前面枠１０，１０・・の配置が終わると、そのＬ型前面枠１０，１０・・の後方にネット３０を敷き、ネット３０の前縁部をＬ型前面枠１０，１０・・の各底面部１０Ｂの後縁部上に重ねる。
【００３２】
次いで、各Ｌ型前面枠１０の３本の縦材１２，１２，１２に斜材２０，２０，２０を取り付ける。隣接するＬ型前面部１０、１０の間では、斜材２０を共用し、そのフック２１ａを隣接する縦材１２，１２の上端部に引っ掛ける。これにより、隣接するＬ型前面枠１０，１０が前面部１０Ａ，１０Ａの上縁部で連結される。また、連結具２３をＬ型前面枠１０，１０の横材１４の端部に引っ掛けて連結板２２にネジ止めすることにより、前面部１０Ａの上縁部と底面部１０Ｂの後縁部が連結されると共に、底面部１０Ｂの後縁部にネット３０の前縁部が連結される。連結具２３を横材１４と共に、隣接する縦材１２，１２の後端部に引っ掛けるならば、隣接するＬ型前面枠１０，１０が底面部１０Ａ，１０Ａの後部でも連結される。
【００３３】
以上により、最下段のＬ型前面枠１０，１０・・が相互に連結される。また、それらのＬ型前面枠１０，１０・・が後方のネット３０と連結される。各Ｌ型前面枠１０では、前面部１０Ａの上縁部と底面部１０Ｂの後縁部が、両側部及び中央部の３ヵ所で連結され、補強される。
【００３４】
斜材２０による連結作業が終わると、Ｌ型前面枠１０，１０・・の後方に盛土４０を堆積する。盛土４０によって下方のネット３０が固定されることにより、Ｌ型前面枠１０，１０・・が定着される。
【００３５】
Ｌ型前面枠１０，１０・・の各底面部１０Ｂ上に盛土４０が堆積されることにより、Ｌ型前面枠１０，１０・・は一層安定する。また、前面部１０Ａの上縁部と底面部１０Ｂの後縁部が斜材２０，２０，２０によって連結されているため、前面部１０Ａの前方への倒れが防止される。なお、Ｌ型前面枠１０，１０・・の前面部１０Ａ，１０Ａ・・の裏側には植生シート５０を張っておく。植生シート５０を張らない場合は、盛土４０の前部を栗石などに置換する。
【００３６】
以上のようにして最下段が構築されると、最下段のＬ型前面枠１０，１０・・の上に、最下段の盛土４０を介して、所定数のＬ型前面枠１０，１０・・を載置する。最下段のＬ型前面枠１０に設けられた突出部１２ａ，１２ａ，１２ａを、２段目のＬ型前面枠１０の底面部１０Ｂの前縁部に下方から突き刺ることにより、２段目のＬ型前面枠１０が位置決めされる。
【００３７】
２段目のＬ型前面枠１０，１０・・が載置されると、最下段の盛土４０の上にネット３０を敷き、各Ｌ型前面枠１０に斜材２０，２０，２０を取り付ける。そして、Ｌ型前面枠１０，１０・・の後方にネット３０の上から盛土４０を堆積する。最下段の盛土４０と２段目の盛土４０の間にネット３０が固定されることにより、２段面のＬ型前面枠１０，１０・・が強固に定着される。
【００３８】
このようにして２段目が構築され、これを繰り返すことにより、所定高さの擁壁が構築される。水平方向及び鉛直方向に配列された複数のＬ型前面枠１０，１０・・は、各前面部１０Ａで段差のない自然な補強傾斜壁面を形成する。ネット３０，３０・・の抜けが発生しないため、複数のＬ型前面枠１０，１０・・は強固に定着される。Ｌ型前面枠１０，１０・・の後方に複数段に堆積された盛土４０，４０・・は、層間に介在するネット３０により強固に補強される。
【００３９】
施工作業では、Ｌ型前面枠１０が自立するため、その作業が簡単で施工性に優れる。斜材３０によりＬ型前面枠１０が補強されるだけでなく、隣接するＬ型前面枠１０，１０の相互連結及びネット３０との連結が行われるので、施工性に一層優れる。
【００４０】
なお、上記実施形態では、Ｌ型前面枠１０に溶接金網１１を使用したが、通常の金網でもよく、金網に代えて有孔板を使用することもできる。補強用の縦材１２は、Ｌ型前面枠１０の両側部及び中央部の３ヵ所に配置したが、４ヵ所以上に配置することもでき、両側部の２ヵ所でもよい。横材１３，１４についても、その配置位置を適宜増やすことができ、前面側の斜材１３は後面側の斜材と同じ丸棒でもよい。
【００４１】
【発明の効果】
以上に説明した通り、本発明の補強盛土構造は、傾斜面の形成にＬ型前面枠を使用するので、段差のない自然な傾斜壁面を形成できる上に、施工時にＬ型前面枠が自立し、前面部の前倒れの危険もないため、施工性が良好である。また、盛土の下に敷かれたネットによりＬ型前面枠を定着させるので、定着強度が高く、合わせて盛土を補強できる。従って、美観に優れた強固な擁壁等を短期間で経済的に構築できる。
【００４２】
Ｌ型前面枠の前面部と底面部を斜材で連結することにより、前面部の前倒れを一層効果的に防止できる。
【００４３】
斜材として、前面側の端部が、水平方向に隣接するＬ型前面枠の側部同士の連結部を兼ねる構造のものや、底面側の端部が、その底面部とネットとの連結部を兼ねる構造のものを使用することにより、施工性を一層改善できる。
【図面の簡単な説明】
【図１】本発明の補強盛土構造で構築した擁壁の縦断側面図である。
【図２】同擁壁の正面図である。
【図３】同補強盛土構造に使用された前面枠の連結構造を示す平面図である。
【図４】同補強盛土構造に使用された斜材の詳細構造を示し、（ａ）は平面図、（ｂ）は側面図である。
【図５】従来の補強盛土構造で構築した擁壁の斜視図である。
【符号の説明】
１０  Ｌ型前面枠
１０Ａ  前面部
１０Ｂ  底面部
１１  溶接金網
１２  縦材
１３，１４  横材
２０  斜材
２１  本体部
２２  連結板
２３  連結具
３０  ネット
４０  盛土
５０  植生シート
【図１】
0003564423.tif 000002
【図２】
0003564423.tif 000003
【図３】
0003564423.tif 000004
【図４】
0003564423.tif 000005
【図５】
0003564423.tif 000006